(57)【要約】  【課題】  トイレ空間本来の使用目的である排泄を行いたい使用者による個室空間の使用に支障をきたすことがないように、使用者を覚醒状態にするための視覚刺激を与える期間の一部を個室空間外で行えるようになり、使用者による個室空間の占有時間を短縮することが可能なトイレ空間の環境制御システムを提供することを目的とする  【解決手段】  トイレ空間は、大便器を備える個室空間と、洗面台を備える共有空間と、個室空間内に設置され、個室空間内の照度または色温度を変更可能な第１の照明装置と、その第１の照明装置を制御する制御装置とを、を備え、制御装置は、第１の照明装置を制御し、個室空間内の照度または色温度を低下させる照明リラックス制御を実行する際に、個室空間内の照度または色温度を、第２の照明装置が設置される共有空間の照度または色温度よりも低くなるように制御する。【選択図】  図５
2020053347.tif 000002
【特許請求の範囲】
【請求項１】
オフィスが設けられた建物、または公共の施設に設置されるトイレ空間の環境制御システムであって、
前記トイレ空間は、
大便器を備える個室空間と、
洗面台を備える共有空間と、
前記個室空間内に設置され、前記個室空間内の照度または色温度を変更可能な第１の照明装置と、
前記共有空間内に設置された第２の照明装置と、
前記第１の照明装置を制御する制御装置と、を備え、
前記制御装置は、前記個室空間内の照度または色温度を低下させる照明リラックス制御を有し、
前記照明リラックス制御は、前記個室空間内の照度または色温度を、前記第２の照明装置が設置される前記共有空間の照度または色温度よりも低くなるように制御することを特徴とするトイレ空間の環境制御システム。
【請求項２】
前記第２の照明装置は、前記トイレ空間の出入口から前記個室空間に至るまでの通路上に設置された通路空間照明装置と、前記洗面台付近に設置された洗面台空間照明装置と、を備え、
前記通路空間照明装置は、該通路空間照明装置が設置される前記通路上の照度または色温度が、前記洗面台空間照明装置が設置される前記洗面台付近の照度または色温度よりも低くなるように設置され、
前記照明リラックス制御は、前記個室空間内の照度または色温度を、前記通路空間照明装置が設置される前記通路上の照度または色温度よりも低くなるように制御することを特徴とする請求項１に記載のトイレ空間の環境制御システム。
【請求項３】
前記トイレ空間は、複数の前記個室空間を備え、
前記通路空間照明装置は、複数設けられ、それぞれの前記通路空間照明装置は、複数の前記個室空間のそれぞれの出入口付近に設置されることを特徴とする請求項２に記載のトイレ空間の環境制御システム。
【請求項４】
前記トイレ空間は、前記トイレ空間内の混雑状況を検知する混雑検知装置を備え、
前記制御装置は、前記混雑検知装置の検知結果に基づいて、前記照明リラックス制御の実行期間を短縮することを特徴とする請求項１乃至３のいずれか一項に記載のトイレ空間の環境制御システム。
【請求項５】
前記個室空間の内部または外部に設けられ、前記照明リラックス制御の実行状態を前記トイレ空間の使用者に報知する報知装置を有することを特徴とする請求項１乃至４のいずれか一項に記載のトイレ空間の環境制御システム。
【発明の詳細な説明】
【技術分野】
【０００１】
本発明は、トイレ空間の環境制御システムに関する。
【背景技術】
【０００２】
近年、働きやすさの追求のため、在宅勤務をはじめとしたリモートワークを推進する動きが活発化している。その一方で、リモートワークが常になることによって面と向かってのコミュニケーションを取る機会が減り、その結果、生産性が低下することが危惧されている。そのため、現在は、働きやすさを追求すると共に、生産性が低下することがないように、これまで以上にオフィスでの生産性の向上が求められている。
【０００３】
ところで、オフィスでの生産性を向上させるためには、生体が活性化しており作業を集中して行うことが可能な覚醒状態と、生体が鎮静化しており疲労感を回復することが可能なリラックス状態との切り替えを適切に行うことが有効であることが知られている。そのため、従来から執務室の照明は、生体を活性化させる効果のある高照度の照明を利用し、休憩室の照明は、生体を鎮静化させる効果のある低照度の照明を利用することが、２０１０年のJIS照度基準では推奨されていた。
【０００４】
一方で、生体の鎮静化と活性化による作業性の向上はオフィスに限らず、例えば高速道路のサービスエリア等の公共施設においても必要性は高い。例えばサービスエリアにおいて自動車の運転者には休息が必要であるが、運転の再開の際には集中力が求められる。
【０００５】
これらに対して、一度リラックス状態になってしまうと、再び作業を集中して行うことが可能な覚醒状態になるまでに期間を必要とするため、休憩直後は集中して作業を行うことができず生産性が低下してしまうという課題が知られている。
この課題に対して、特許文献１には、生体を鎮静化させる刺激を与えた直後に生体を活性化させる刺激を与えることで、一度リラックス状態になった人を再び集中して作業を行うことが可能な覚醒状態にするまでに必要とする期間を短縮することが記載されている。
【先行技術文献】
【特許文献】
【０００６】
【特許文献１】特開平２−２１３５６８号公報
【非特許文献】
【０００７】
【非特許文献１】萩原啓、荒木和典、道盛章弘、“短期間リフレッシュ法とその生理的評価”、[online]、平成３年６月１日発行、人間工学第２７巻特別号、[平成３０年８月２８日検索]、インターネット＜URL：https://www.jstage.jst.go.jp/article/jje１９６５/２７/Supplement/２７_Supplement_２0６/_article＞
【発明の概要】
【発明が解決しようとする課題】
【０００８】
しかし、特許文献１に記載されたような、使用者の緊張をほぐすように導くリラックス誘導装置と、使用者に意識の水準を高めるような適度の刺激を与えるリフレッシュ刺激装置とを備えた特別な個室空間を導入することは、空間の制約や費用の面で実現性に乏しかった。そこで本発明者らは、元々個室空間を備えているトイレ空間を利用し、特許文献１に記載の制御を行うことで空間や費用の面での導入のハードルを下げることを思い付いた。
【０００９】
しかしながら、特許文献１と同じ開発者によって同時期に発表された非特許文献１によると、一度リラックス状態になった人を再び集中して作業を行うことが可能な覚醒状態にするまでには、特許文献１に記載された制御によって短縮されてもなお１０〜２０分を必要としていた。そのため、特許文献１に記載された制御をそのままトイレ空間に適用すると、一人当たりのトイレ空間の占有期間が長くなり過ぎることにより、トイレ空間本来の使用目的である排泄を行いたい人によるトイレ空間の使用に支障をきたすという新たな課題が生じた。
【００１０】
本発明は、このような課題を解決するものであり、トイレ空間本来の使用目的である排泄を行いたい人によるトイレ空間の使用に対して支障をきたすことがないように、トイレ空間内で一度リラックス状態になった人を再び集中して作業を行うことが可能な覚醒状態にするまでに必要とする期間を短縮することが可能なトイレ空間の環境制御システムを提供することを目的とする。
【課題を解決するための手段】
【００１１】
上記の課題を解決するために、第１の発明の態様に係るトイレ空間の環境制御システムは、オフィスが設けられた建物、または公共の施設に設置されるトイレ空間の環境制御システムであって、トイレ空間は、大便器を備える個室空間と、洗面台を備える共有空間と、個室空間内に設置され、個室空間内の照度または色温度を変更可能な第１の照明装置と、共有空間内に設置された第２の照明装置と、第１の照明装置を制御する制御装置と、を備え、制御装置は、個室空間内の照度または色温度を低下させる照明リラックス制御を有し、照明リラックス制御は、個室空間内の照度または色温度を、第２の照明装置が設置される共有空間の照度または色温度よりも低くなるように制御する。
【００１２】
特許文献１に記載された発明をトイレ空間に適用にした場合、トイレ空間本来の使用目的である排泄を行いたい人の使用に支障をきたすという課題が生じる。その理由の一つに、使用者をリラックス状態にする視覚刺激を与えてから、使用者を覚醒状態にする視覚刺激を与えるまでの全ての期間を、大便器を備えた個室空間内で行っていたことが挙げられる。
【００１３】
そこで、本件発明者らは、個室空間外の場所である洗面台を備える共有空間においても使用者を覚醒状態にするための視覚刺激を与えることで、使用者による個室空間の占有時間を短縮できるということを思い付いた。
【００１４】
本発明の第１の態様によれば、照明リラックス制御において、制御装置は、個室空間内に設置された第１の照明装置の照度または色温度を低下させることで、個室空間内の照度または色温度を、第２の照明装置が設置される共有空間の照度または色温度よりも低くなるように制御している。そのため、照明リラックス制御後に共有空間に出た使用者は、第２の照明装置による共有空間の照度または色温度によって、照明リラックス制御時よりも強い視覚刺激を受けることとなり、共有空間において生体を活性化させることができるようになる。これによって、使用者を覚醒状態にするための視覚刺激を与える期間の一部を個室空間外で行えるようになり、使用者による個室空間の占有時間を短縮することが可能なトイレ空間の環境制御システムを提供することができる。
【００１５】
なお、本発明において記載している個室空間内や共有空間の照度または色温度とは、第１の照明装置や第２の照明装置の鉛直下方向に存在する床面に照度計を配置し、その照度計の受光部を第１の照明装置や第２の照明装置に向けることで計測している。
【００１６】
第２の発明の態様に係るトイレ空間の環境制御システムは、第１の発明において、第２の照明装置は、トイレ空間の出入口から個室空間に至るまでの通路上に設置された通路空間照明装置と、洗面台付近に設置された洗面台空間照明装置と、を備え、通路空間照明装置は、その通路空間照明装置が設置される通路上の照度または色温度が、洗面台空間照明装置が設置される洗面台付近の照度または色温度よりも低くなるように設置され、照明リラックス制御は、個室空間内の照度または色温度を、通路空間照明装置が設置される通路上の照度または色温度よりも低くなるように制御する。
【００１７】
個室空間を使用した使用者は、個室空間を退室後、共有空間内の通路を移動し洗面台で手を洗った後、トイレ空間から退室するというのが一般的な行動である。本件発明者らは、この個室空間を使用した後の使用者による一般的な行動に着目し、照明リラックス制御を実行した後の使用者のトイレ空間内での移動に合わせて、徐々に強い視覚刺激を与えることで生体を活性化し覚醒状態にすることを思い付いた。すなわち、個室空間を退室後の使用者に対して、トイレ空間の出入口から個室空間に至るまでの通路上に設置された通路空間照明装置による視覚刺激を与えた後、洗面台付近に設置された洗面台空間照明装置により強い視覚刺激を与えることで、使用者を覚醒状態にすることができる。
【００１８】
本発明の第２の態様によれば、トイレ空間の出入口から個室空間に至るまでの通路上に通路空間照明を設置する共に、洗面台付近に通路空間照明装置よりも高い照度または色温度を有する洗面台空間照明装置を設置した。そして、照明リラックス制御において、制御装置は、第１の照明装置の照度または色温度を低下させることで、個室空間内の照度または色温度を、トイレ空間の出入口から個室空間に至るまでの通路上の照度または色温度よりも低くなるように制御している。そのため、照明リラックス制御後に個室空間外である共有空間の通路上に出た使用者は、通路空間照明装置によって照明リラックス制御時よりも強い視覚刺激を受けると共に、その後、洗面台で手を洗う際に、洗面台空間照明装置によって通路空間照明装置よりも強い視覚刺激を受けることとなり、共有空間において生体を強く活性化させることができるようになる。これによって、使用者を覚醒状態にするための視覚刺激を与える期間の多くを個室空間外で行えるようになり、使用者による個室空間の占有時間をより短縮することが可能なトイレ空間の環境制御システムを提供することができる。
【００１９】
なお、本発明において、トイレ空間の出入口から個室空間に至るまでの通路とは、トイレ空間の出入口から個室空間に至るまでの共有空間からなる。そのため、使用者が、洗面台空間照明装置が設置された洗面台空間を使用しなかった場合であっても、個室空間からトイレ空間の出入口までの通路に設置された通路空間照明装置によって、使用者を覚醒状態にするための視覚刺激を確実に与えることができる。
【００２０】
第３の発明の態様に係るトイレ空間の環境制御システムは、第２の発明において、トイレ空間は、複数の個室空間を備え、通路空間照明装置は、複数設けられ、それぞれの通路空間照明装置は複数の個室空間のそれぞれの出入口付近に設置される。
【００２１】
本発明の第３の態様によれば、複数の個室空間が設けられたトイレ空間において、それぞれの個室空間の出入口付近に通路空間照明装置が設置されている。そのため、使用者がどの個室空間を使用した場合であっても使用者を覚醒状態にするための視覚刺激を与える期間の一部を確実に個室空間外で行えるようになる。これによって、使用者による個室空間の占有時間を短縮することが可能なトイレ空間の環境制御システムを提供することができる。
【００２２】
第４の発明の態様に係るトイレ空間の環境制御システムは、第１乃至第３のいずれか一つの発明において、トイレ空間は、トイレ空間内の混雑状況を検知する混雑検知装置を備え、制御装置は、混雑検知装置の検知結果に基づいて、制御装置が実行する制御の実行期間を短縮する。
【００２３】
本発明の第４の態様によれば、混雑検知装置によってトイレ空間内が混んでいることが検知された場合、制御装置は、使用者をリラックス状態に導くための各制御の実行期間を短縮したり、各制御を実行することを禁止（＝制御の実行期間をゼロに短縮）したりできるようになる。これによって、トイレ空間本来の使用目的である排泄を行いたい使用者による個室空間の利用に支障をきたすことを防止できるトイレ空間の環境制御システムを提供することができる。
【００２４】
第５の発明の態様に係るトイレ空間の環境制御システムは、第１乃至第４のいずれか一つの発明において、個室空間の内部または外部に設けられ、使用者をリラックスにするための各制御の実行状態をトイレ空間の使用者に報知する報知装置を有する。
【００２５】
本発明の第５の態様によれば、個室空間内の使用者に対してリラックス状態にするための制御を実行している場合、個室空間の内部の使用者に対して、当該制御終了までの残り時間を報知することができる。または、個室空間の外部で個室空間の使用を待つ使用者に対して、個室空間内の使用者が当該制御を実行中であることや、当該制御終了までの残り時間を報知することができる。これにより、待ち時間の短縮や、他の個室への誘導ができ、本来の使用目的である排泄を行いたい使用者への支障を取り除くことができる。
【発明の効果】
【００２６】
本発明によれば、トイレ空間本来の使用目的である排泄を行いたい使用者による個室空間の使用に支障をきたすことがないように、使用者を覚醒状態にするための視覚刺激を与える期間の一部を個室空間外で行えるようになり、使用者による個室空間の占有時間を短縮することが可能なトイレ空間の環境制御システムを提供することを目的とする。
【図面の簡単な説明】
【００２７】
【図１】本発明の実施形態に係るトイレ空間の環境制御システムをブロック図で模式的に示した図である。
【図２】本発明の実施形態に係るトイレ空間の環境制御システムにおいて、制御装置が実行するリラックス制御の概念図を模式的に示した図である。
【図３】本発明の実施形態に係るトイレ空間の環境制御システムにおいて、制御装置が実行する制御の一例を示すフローチャートである。
【図４】本発明の実施形態に係るトイレ空間の環境制御システムにおいて、制御装置が実行するリラックス制御の一例を示すフローチャートである。
【図５】本発明の実施形態に係るトイレ空間の環境制御システムにおいて、制御装置が実行するリラックス制御の一例を示すタイムチャートである。
【図６】本発明の第１実施例にかかるトイレ空間の概略構成を示した図である。
【発明を実施するための形態】
【００２８】
以下で説明する実施形態は、いずれも本開示の一実施形態を示すものである。以下の実施形態で示される構成要素、構成要素の設置位置及び接続形態、ステップ、ステップの順序などはあくまで一例であり、本発明を限定するものではない。また、以下の実施形態における構成要素のうち、本開示の最上位概念を示す独立請求項に記載されていない構成要素については、任意の構成要素として説明される。また、図面において同じ符号が付いたものは、説明を省略する場合がある。
【００２９】
図１は、本発明の実施形態に係るトイレ空間の環境制御システムをブロック図で模式的に示した図である。
図１に示すように、トイレ空間の環境制御システム１００は、第１の照明装置２００と、第２の照明装置２２０と、制御装置４００とを有する。さらに、映像出力装置３００と、混雑検知装置５００と、報知装置６００を有することが好ましい。
【００３０】
第１の照明装置２００は、トイレ空間内において大便器が備えられた個室空間に設置され、個室空間内の照度または色温度を変更可能な照明である。このために、第１の照明装置２００は、例えば、異なる照度または色温度に調光可能な単一のLEDや、異なる照度または色温度を有する複数のLEDなどの照明機器を備える。また、照明装置２００は、個室空間の上方側に設けられる電球形状の照明機器に限られず、個室空間の壁面に設けられるパネル形状の照明機器であってもよい。なお、照明装置２００は、個室空間内への単数の配置であってもよいが、複数設置することにより視覚的効果を得ることができる。
【００３１】
第２の照明装置２２０は、トイレ空間内において洗面台が備えられた共有空間に設置される照明である。そして、第２の照明装置２２０は、トイレ空間の出入口から個室空間に至るまでの通路上に設置される通路空間照明装置２２２と、洗面台付近に設置される洗面台空間照明装置２２４とを備える。このために、第２の照明装置２２０は、例えば、単一の照度または色温度を有するLEDなどの照明機器を備える。また、第２の照明装置２２０は、第１の照明装置２００と同様に照度または色温度を変更可能な照明機器であってもよい。
【００３２】
映像出力装置３００は、トイレ空間内において大便器が備えられた個室空間内に設置され、静止画または動画による映像を出力する装置である。このために、映像出力装置３００は、例えば、個室空間内の壁面に取り付けられるLCD（液晶ディスプレイ）やOLED（有機ELディスプレイ）等の表示装置や、個室空間内に映像を投影するプロジェクタなどを備える。表示装置の表示面のサイズやプロジェクタにより投影する映像のサイズに制限はないが、使用者の視野全体に広がる大きなサイズとするとより視覚的効果を得ることができる。なお、映像出力装置３００は出力する映像に関連する音を映像と共に出力してもよい。
【００３３】
制御装置４００は、第１の照明装置２００の照度または色温度を制御する装置である。また、制御装置４００は、映像出力装置３００が出力する静止画または動画による映像の出力も制御できることが好ましい。制御装置４００は、自動操作または手動操作に基づいて制御指示を第１の照明装置２００および映像出力装置３００に送信する。このために、制御装置４００は、例えば、自動操作のために予め制御指示が記憶されたメモリや、使用者による手動操作のための入力ボタン、そして制御指示を第1の照明装置２００及び映像出力装置３００に制御指示を送信するための送信部などを備える。
【００３４】
混雑検知装置５００は、トイレ空間内の混雑状況を検知する装置である。混雑検知装置５００は、個室空間外である洗面台などが設けられた共有空間における使用者の有無や、他の個室空間内における使用者の有無などを検知したりする。混雑検知装置５００によって検知された混雑状況に関する情報を使用することで、制御装置４００によって実行される各制御にかかる期間をトイレ空間の混雑状況に応じて短縮することができる。
【００３５】
例えば、混雑検知装置５００によってトイレ空間内が混んでいることが検知された場合、制御装置４００は、使用者をリラックス状態に導くための各制御の実行期間を短縮したり、各制御を実行することを禁止（＝制御の実行期間をゼロに短縮）したりできるようになる。これによって、トイレ空間本来の使用目的である排泄を行いたい使用者による個室空間の使用に支障をきたすことを防止できる。このために、混雑検知装置５００は、例えば、カメラやドアセンサ、人体検知センサ、着座検知センサなどを用いることができる。
【００３６】
ドアセンサとしては、例えば、個室空間のドアにマグネットセンサや変位センサ、振動センサなどの検出手段を用いることができる。これによって、他の個室空間におけるドアの開閉状態を検知し、使用者の有無から混雑状況を推測できる。
また、人体検知センサとしては、例えば、赤外線ラインセンサやマイクロ波センサなどの検出手段を用いることができる。これによって、個室空間の出入口付近に滞在している使用者の有無を検知し、個室空間を使用したい使用者の有無から混雑状況を検知できる。
また、着座検知センサとしては、例えば、歪みセンサや圧力センサ、赤外線センサなどの検知手段を用いることができる。これによって、他の個室空間における使用者の着座状態を検知し、使用者の有無から混雑状況を推測できる。
【００３７】
報知装置６００は、使用者をリラックス状態に導くための各制御実行された際に、個室空間内の人に当該制御時間の残り時間を報知したり、個室空間の外の共有空間で個室空間の使用を待つ人に当該制御の実行状態を報知したりするものである。報知装置６００にはLCD（液晶表示装置）又はOLED（有機ELディスプレイ）等の表示装置や、光の色や配置、点滅周期等を変化させることができるLED等の照明装置を用いることができ、個室空間内や共有空間内の壁面などに設置される。当該制御が実行されると、制御装置４００は報知装置６００に当該制御にかかる情報を送信し、報知装置６００はこれを表示させる。報知装置６００には、例えば当該制御の実行の有無や当該制御の終了までの残り時間等があげられる。
【００３８】
図２は、本発明の実施形態に係るトイレ空間の環境制御システムにおいて、制御装置が実行する制御の概念図を模式的に示した図である。以下、図２を参照しつつ、本発明の制御装置が実行する制御について説明する。
【００３９】
制御装置４００は、使用者の疲労感を低下させることを目的とするリラックス制御４２０を有する。リラックス制御４２０は、第１の照明装置２００による照明リラックス制御４２２を備える。また、リラックス制御４２０は、映像出力装置３００による映像リラックス制御４２４と、照明リラックス制御４２２及び映像リラックス制御４２４を実行する期間を重複させる複合リラックス制御４２６とを備えることが好ましい。
【００４０】
照明リラックス制御４２２は、第１の照明装置２００の照度を低照度に変更したり、色温度を暖色系などの低い色温度に変更したりすることで、個室空間内の使用者に与える視覚刺激を低下させる制御である。これによって、人の精神状態を副交感神経が優位なリラックス側へ導き生体を鎮静化させる。
【００４１】
映像リラックス制御４２４は、アルファ波減衰試験（Alpha Attenuation Test：AAT）を行った際に、アルファ波の出現量が少なく、アルファ波の減衰が顕著に表れなかった映像（第１の映像）を映像出力装置３００に出力させる制御である。これによって、人の精神状態を副交感神経が優位なリラックス側へ推移させる。
【００４２】
なお、アルファ波減衰試験とは、閉眼安静時のアルファ波出現量と、開眼時のアルファ波の減衰が、生体の活性度に対応して変動する特性を利用し、安静状態で閉眼と開眼を反復することによって生じるアルファ波の出現量、及び、アルファ波の減衰から生体の活性度を数値指標化する評価手法である。
【００４３】
この試験を行った結果、映像リラックス制御４２４において出力する映像として適した映像とは、例えば、自然の森の映像のように、色温度が低く、動きが無い又は動きが殆ど無いことから視覚刺激の少ない映像や、平均的な人に安らぎや平穏といったものを想起させることで生体をリラックス側へ導く精神生理的反応を引き起こす映像であった。
【００４４】
複合リラックス制御４２６は、照明リラックス制御４２２及び映像リラックス制御４２４を実行する期間を重複させて行う制御である。これによって、第１の照明装置２００と映像出力装置３００による複数の異なる視覚刺激が連動し、相乗効果を得ることが可能となる。そのため、複合リラックス制御４２６を実行することで、照明リラックス制御４２２または映像リラックス制御４２４のみを実行するときよりも短期間で使用者の生体を鎮静化させることが可能となる。
【００４５】
図３は、本発明の実施形態に係るトイレ空間の環境制御システムにおいて、制御装置が実行するリラックス制御の一例を示すフローチャートである。以下、図３を参照しつつ、本発明の実施形態にかかるトイレ空間の環境制御システムにおけるリラックス制御のフローを説明する。
【００４６】
ステップS３０１において、使用者による個室空間内への入室、または、使用者による個室空間内の大便器の着座部に着座を検知する。これによって個室空間内に使用者が存在することが検知されたとき、次のステップS３０２に移行する。なお、個室空間内への入室の有無は、ドアセンサや人体検知センサによって検知することができる。また、大便器の着座部への着座の有無は、着座検知センサによって検知することができる。
【００４７】
ステップS３０２において、混雑検知装置５００によって個室空間外の混雑状況が検知された場合（ステップS３０２、Yes）、制御装置４００は使用者をリラックス状態に導くためのリラックス制御４２０を実行することを禁止する。このとき、報知装置６００を用いて個室空間内の使用者に個室空間外が混雑していることを報知してもよい。
【００４８】
その一方で、ステップS３０２において、混雑検知装置５００によって、個室空間外の混雑状況が検知されなかった場合（ステップS３０２、No）、次のステップS３０３に移行し、制御装置４００は、使用者をリラックス状態に導くためのリラックス制御４２０を選択することを許可する。なお、ステップS３０３におけるリラックス制御４２０の選択は、使用者による入力を基に実行する手動操作であっても、着座検知などを起点に実行する自動操作であっても良い。あるいは時間帯等の所定条件に応じて実行するか否かを自動的に決定するものであっても良い。
【００４９】
制御装置４００は、ステップS３０３において選択されたリラックス制御４２０に関する情報を送信し、報知装置６００は、個室空間内部、及び個室空間外部に対して、選択されたリラックス制御４２０に関する情報を報知する（ステップS３０４）。
【００５０】
そして、制御装置４００は、テップS３０３において選択されたリラックス制御４２０の実行を開始する（ステップS３０５〜ステップS３１１）。
なお、リラックス制御４２０において、制御装置４２０が照明装置２００及び映像出力装置３００を制御することで実行する、照明リラックス制御４２２および映像リラックス制御４２４の制御フローについては、図４で後述する。
【００５１】
リラックス制御４２０を実行中に、混雑検知装置５００によって、個室空間外部の混雑状況が検知された場合（ステップS３０６、Yes）、制御装置４００は、リラックス制御４２０の実行期間を短縮するよう制御する（ステップS３０７）。
【００５２】
また、リラックス制御４２０を実行中に、使用者による停止ボタンへの入力操作が検知された場合（ステップS３０８、Yes）、制御装置４００は、リラックス制御４２０の実行を強制終了する（ステップS３１１）。
【００５３】
また、リラックス制御４２０を実行中に、着座部からの離座が所定時間検知された場合（ステップS３０９、Yes）、制御装置４００は、リラックス制御４２０の実行を強制終了する（ステップS３１１）。着座検知センサを用いた使用者による着座部への検知は、使用者が姿勢を変えること等によって１秒程度の時間に亘って離座と検知されてしまうことがある。そのため、所定時間とは、例えば５秒程度の時間を設定することが好ましい。
【００５４】
リラックス制御４２０を実行してから所定時間経過していない場合（ステップS３１０、No）、制御装置４００は、リラックス制御４２０を実行し続ける。
【００５５】
そして、リラックス制御４２０を実行してから所定時間経過した場合（ステップS３１０、Yes）、制御装置４００は、リラックス制御４２０の実行を終了すると同時に（ステップS３１１）、報知装置６００による個室空間内、及び個室空間外部に対する報知を終了する。（ステップS３１２）。
なお、図３では図示しないが、使用者による停止ボタンの操作や誤作動等によってリラックス制御４２０が強制終了された場合、再度リラックス制御４２０の選択を行うことが可能なようにステップS３０３に戻るように設定してもよい。この場合にリラックス制御４２０が再び選択された場合、個室内部または個室外部への報知が再び実行される（ステップS３０４）。
【００５６】
最後に、使用者による個室空間からの退室が検知されることで、使用者による一回の個室空間の使用に伴う、制御装置４００による制御が終了する（ステップS３１３）。
【００５７】
図４は、本発明の実施形態に係るトイレ空間の環境制御システムにおいて、制御装置が実行するリラックス制御の一例を示すフローチャートである。以下、図４を参照しつつ、本発明の実施形態にかかるトイレ空間の環境制御システムにおけるリラックス制御の制御フローを説明する。
【００５８】
入力操作または自動操作によって、リラックス制御４２０を実行することが選択されたとき、制御装置４００は、リラックス制御４２０に対応する制御指示を第１の照明装置２００に送信し照明リラックス制御４２２を実行する（ステップS４０２）。
【００５９】
そして、第１の照明装置２００によって変更された個室空間内の照度または色温度が、選択された制御において予め規定された所定の照度または色温度に至った場合（ステップS４０３、Yes）、制御装置４００は、リラックス制御４２０に対応する制御指示を映像出力装置３００に送信し、映像リラックス制御４２４を実行する（ステップS４０４）。
【００６０】
その後、制御装置４００は、所定期間に亘って、第１の照明装置２００と映像出力装置３００とによる、照明リラックス制御４２２と映像リラックス制御４２４とを実行する期間を重複させる複合リラックス制御４２６を実行する（ステップS４０５）。
【００６１】
そして、複合リラックス制御４２６を実行してから所定時間経過した場合（ステップS４０５、Yes）、制御装置４００は、映像出力装置３００に停止指示を送信し、映像リラックス制御４２２を停止する（ステップS４０６）。
【００６２】
さらに、制御装置４００は、第１の照明装置２００にも停止指示を送信し、照明リラックス制御４２２を停止する（ステップS４０７）。これにより、制御装置４００は、リラックス制御４２０を終了する（ステップS４０８）。
【００６３】
図５は、本発明の実施形態に係るトイレ空間の環境制御システムにおいて、制御装置が実行するリラックス制御のタイムチャートの一例を示す図である。以下、図５を参照しつつ、本発明の実施形態にかかるトイレ空間の空間制御システムにおけるリラックス制御のタイムチャートを説明する。
【００６４】
使用者によるトイレ空間への入室が検知されたとき、または、使用者がトイレ空間の照明をOFFからONにする入力操作を行ったとき、個室空間に設けられた第１の照明装置２００、及び共有空間に設けられた通路空間照明装置２２２は平常時の照度及び色温度で点灯する（ｔ０）。このときの平常時の照度及び色温度は、例えば、１６０Lx（ルクス）および色温度４０００K（ケルビン）である。
【００６５】
次に、自動操作または手動操作に基づいてリラックス制御４２０の実行を開始するとき、制御装置４００は第１の照明装置２００の照度または色温度を制御し、個室空間内の照度または色温度を低下させる照明リラックス制御４２２の実行を開始する（ｔ１）。照明リラックス制御４２２において、制御装置４００は、個室空間内の照度または色温度がリラックス制御４２０を実行する前である平常時の照度または色温度よりも低く、且つ、通路空間照明装置２２２による共有空間の照度または色温度よりも低くなるように第１の照明装置２００を制御する。このとき、第１の照明装置２００によって低下された個室空間内の照度及び色温度は、例えば、６０Lxおよび色温度２７００Kである。
【００６６】
そして、照明リラックス制御４２２の実行期間が予めプログラムされた所定期間を経過したとき、又は照明リラックス制御４２２によって低下された個室空間内の照度または色温度が予めプログラムされた照度または色温度に至ったとき、制御装置４００は、映像出力装置３００を制御し、暖色系などの低い色温度の映像や、人に安らぎや平穏といった精神生理的反応を引き起こす効果がある映像を出力する映像リラックス制御４２４を開始する（ｔ２）。このとき、映像出力装置３００が出力する映像は、例えば、森の映像などである。
【００６７】
その後、制御装置４００は、予めプログラムされた所定期間にわたって、照明リラックス制御４２２及び映像リラックス制御４２４を実行する期間を重複させて行う複合リラックス制御４２６を実行する（ｔ２〜ｔ３）。この期間においては、第１の照明装置２００と映像出力装置３００による複数の異なる視覚刺激が連動するため、相乗効果を得ることが可能となる。そのため、照明リラックス制御４２２または映像リラックス制御４２４のみを実行している期間よりも使用者の生体を効果的に鎮静化させることが可能となる。このとき、複合リラックス制御４２６は、例えば、５分間にわたって実行される。
【００６８】
なお、照明リラックス制御４２２が実行された直後（ｔ１〜ｔ２）は、制御装置４００が第１の照明装置２００の照度または色温度を変更している期間中であるため、個室空間内の視覚刺激は一定に保たれていない。このとき、映像出力装置３００を制御して映像リラックス制御４２４の実行を開始したとしても、使用者は第１の照明装置２００によって個室空間内の照度または色温度が変更されていることに気を取られてしまい、照明と映像による相乗効果を得ることができないおそれがある。そのため、複合リラックス制御４２６は、第１の照明装置２００の照度、または色温度が一定に保たれている期間（ｔ２〜ｔ３）に実行することが好ましい。
【００６９】
そして、予めプログラムされた所定期間経過後、制御装置４００は、第1の照明装置２００及び映像出力装置３００に対して各制御の停止指示を送信する（ｔ３）。
【００７０】
なお、このとき、個室空間内の第１の照明装置２００の照度を照明リラックス制御４２２の実行時よりも上昇させる制御を行うことが好ましい（ｔ３〜ｔ４）。これにより、個室空間が少し明るくなるため使用者が手元を確認することが容易となり、鍵を解除する等の退室時の動作を行う際に不便を感じるおそれを低くすることができる。また、転倒してしまうことを防ぐ等、安全な退室を実現することができる。
【００７１】
さらに、図示しないが、個室空間内の第１の照明装置２００の照度を、照明リラックス制御４２２開始前の平常時における個室空間内の照度に戻してもよい。これにより、例えば離座から個室空間の退室の短期間にわたって覚醒刺激を使用者に与えることができる。このため、共有空間での長期間の覚醒刺激に加え、短期間ではあるもののリラックス制御直後に覚醒刺激を与えることができる。
【００７２】
図６は、第１実施例にかかるトイレ空間の概略構成を示す図である。以下、図６を参照して本実施例の環境制御システムが備えられたトイレ空間について説明する。
【００７３】
図６に表したように、トイレ空間１の中は、大便器３を備えた個室空間５と、洗面台７を備えた共有空間９とを備える。
【００７４】
個室空間５には、個室空間５内の照度または色温度を変更可能な第１の照明装置２００が設けられている。
【００７５】
共有空間９には、第２の照明装置２２０として、トイレ空間１の出入口から個室空間５に至るまでの通路上に設置された通路空間照明装置２２２と、洗面台７付近に設置された洗面台空間照明装置２２４が設けられている。
【００７６】
個室空間５において、使用者がリラックス制御４２０を選択した場合、制御装置４００は、個室空間５内に設置された第１の照明装置２００を制御し、個室空間５内の照度または色温度を低下させることで個室空間５内の使用者の生体を鎮静化させる。
【００７７】
リラックス制御４２０を終え、個室空間５外へ退室した使用者は、トイレ空間１の出入口から個室空間５に至るまでの通路上に設置された通路空間照明装置２２２による視覚刺激を受ける。
【００７８】
そのため、リラックス制御４２０において、制御装置４００は、第１の照明装置２００によって、個室空間５内の照度または色温度を、通路空間照明装置２２２が設置される共有空間９の照度または色温度よりも低くなるようにリラックス制御４２０を実行することが好ましい。これによって、使用者は個室空間５外へ退室した際に、通路空間照明装置２２２による視覚刺激を受けるため、生体を活性化させることが可能となる。このとき、制御装置４００により照明リラックス制御４２０がされたときの第１の照明装置２００による個室空間５内の照度及び色温度は、例えば、６０Lxおよび色温度２７００Kであり、通路空間照明装置２２２による共有空間９の照度及び色温度は、例えば、１６０Lxおよび色温度４０００Kである。
【００７９】
また、図６に表したように、トイレ空間１内に複数の個室空間５が設けられている場合、通路空間照明装置２２２は、各個室空間５の出入口付近に設置されることが好ましい。これによって、使用者がどの個室空間５を使用した場合であっても、使用者は通路空間照明装置２２２による視覚刺激を受けるため、生体を活性化させることが可能となる。
【００８０】
個室空間５の出入口付近に設置された通路空間照明装置２２２によって、生体を活性化させる視覚刺激を受けた使用者は、その後、洗面台７に向かい洗面台７付近に設置された洗面台空間照明装置２２４による視覚刺激を受ける。
【００８１】
そのため、洗面台空間照明装置２２４が設置された洗面台７付近の照度または色温度は、通路空間照明装置２２２が設置される共有空間９の照度または色温度よりも高い照度または色温度を有していることが好ましい。これによって、使用者は個室空間５外へ退室した後に、通路空間照明装置２２２による視覚刺激を受けることで生体を活性化させ、さらにその後、洗面台空間照明装置２２４による視覚刺激を受けることで生体を強く活性化させることが可能となる。このとき、通路空間照明装置２２２による共有空間９の照度および色温度は、例えば、１６０Lxおよび色温度４０００Kであり、洗面台空間照明装置２２４による共有空間９の照度および色温度は、例えば、４００Lxおよび色温度４８００Kである。
【符号の説明】
【００８２】
１・・・トイレ空間
３・・・大便器
５・・・個室空間
７・・・洗面台
９・・・共有空間
１００・・・トイレ空間の環境制御システム
２００・・・第１の照明装置
２２０・・・第２の照明装置
２２２・・・通路空間照明装置
２２４・・・洗面台空間照明装置
３００・・・映像出力装置
４００・・・制御装置
４２０・・・リラックス制御
４２２・・・照明リラックス制御
４２４・・・映像リラックス制御
４２６・・・複合リラックス制御
５００・・・混雑検知装置
６００・・・報知装置
【図１】
2020053347.tif 000003
【図２】
2020053347.tif 000004
【図３】
2020053347.tif 000005
【図４】
2020053347.tif 000006
【図５】
2020053347.tif 000007
【図６】
2020053347.tif 000008
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
オフィスが設けられた建物、または公共の施設に設置されるトイレ空間の環境制御システムであって、
前記トイレ空間は、
大便器を備える個室空間と、
洗面台を備える共有空間と、
前記個室空間内に設置され、前記個室空間内の照度または色温度を変更可能な第１の照明装置と、
前記共有空間内に設置された第２の照明装置と、
前記第１の照明装置を制御する制御装置と、を備え、
前記制御装置は、前記個室空間内の照度または色温度を低下させる照明リラックス制御を有し、
前記照明リラックス制御は、前記個室空間内の照度または色温度を、前記第２の照明装置が設置される前記共有空間の照度または色温度よりも低くなるように制御することを特徴とするトイレ空間の環境制御システム。
【請求項２】
前記第２の照明装置は、前記トイレ空間の出入口から前記個室空間に至るまでの通路上に設置された通路空間照明装置と、前記洗面台付近に設置された洗面台空間照明と、を備え、
前記照明リラックス制御は、前記個室空間内の照度又は色温度を、前記通路空間照明装置が設置される前記通路上の照度または色温度、及び前記洗面台空間照明装置が設置される前記洗面台付近の照度または色温度よりも低くなるように制御することを特徴とする請求項１に記載のトイレ空間の環境制御システム。
【請求項３】
前記通路空間照明装置は、該通路空間照明装置が設置される前記通路上の照度または色温度が、前記洗面台空間照明装置が設置される前記洗面台付近の照度または色温度よりも低くなるように設置され、
前記照明リラックス制御は、前記個室空間内の照度または色温度を、前記通路空間照明装置が設置される前記通路上の照度または色温度よりも低くなるように制御することを特徴とする請求項２に記載のトイレ空間の環境制御システム。
【請求項４】
前記トイレ空間は、複数の前記個室空間を備え、前記通路空間照明装置は、複数設けられ、それぞれの前記通路空間照明装置は、複数の前記個室空間のそれぞれの出入口付近に設置されることを特徴とする請求項３に記載のトイレ空間の環境制御システム。
【請求項５】
前記トイレ空間は、前記トイレ空間内の混雑状況を検知する混雑検知装置を備え、
前記制御装置は、前記混雑検知装置の検知結果に基づいて、前記照明リラックス制御の実行期間を短縮することを特徴とする請求項１乃至４のいずれか一項に記載のトイレ空間の環境制御システム。
【請求項６】
前記個室空間の内部または外部に設けられ、前記照明リラックス制御の実行状態を前記トイレ空間の使用者に報知する報知装置を有することを特徴とする請求項１乃至５のいずれか一項に記載のトイレ空間の環境制御システム。